【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
歯科矯正用のアーチワイヤー（34）とともに用いる歯科矯正用の装置であって、装置本体、ピボット部材（40）、開閉部材（36）を有し、
前記装置本体は、唇（10）、舌（12）、歯茎（14）、かみ合わせ（16）、中間（18）及び末端（20）側の表面部を有し、装置本体の表面部（10、12、14、又は16）に対し開口するように中間−末端に延びる側部を１つ備えるように、中間−末端に延びるアーチワイヤー受取り用のスロット（26）を有して、このスロット（26）内に前記アーチワイヤー（34）の装着と、ここからの取外しを行えるようにし、
前記ピボット部材（40）は、前記装置本体によって取付けられて、中間−末端に延びるピボット軸（42）を構成し、
前記開閉部材（36）は、前記ピボット軸（42）に関してピボット移動するように前記ピボット部材（40）によって取付けられて、この移動は、開口したスロットの側部を開口させるスロット開口位置と、前記開閉部材（36）により前記開口したスロットの側部を閉鎖させて、前記スロット内に前記歯科矯正用のアーチワイヤー（34）を保持させるスロット閉鎖位置との間で行われ、
前記開閉部材（36）は、固体の本体から形成され、
前記開閉部材（36）のピボット移動を行うための前記ピボット部材（40）によって取付けられるピボット部（50）と、前記ピボット部（50）とともに移動可能であって、前記装置本体に対して中間−末端に延び、前記スロット閉鎖位置では前記スロット（26）の開口した側部を閉鎖させるスロット閉鎖部（52）とを含み、
前記開閉部材のピボット部は、前記ピボット部材（40）を囲むピボット部（50）を含み、このピボット部（50）は、中間−末端に延びるボア（60）を備え、この中に前記ピボット部材（40）を通し、前記ピボット部（50）の壁部は、前記ピボット部材（40）の周りで少なくともほぼ環状の横断面区間を有し、前記壁部にこの内側から外側に向けて中間−末端に延びる径方向のスロット（62）を備えて、前記ピボット部材（40）の周りで前記壁部を非連続にして、細長い移動可能区間を有し、この部位を撓ませることで、前記ピボット部材（40）に向ったり、離れるように径方向に移動可能にし、
前記ピボット部材（40）と前記ピボット部（50）との間で、互いに対に係合するラッチ手段の部材（64、66）を有するラッチ手段を含み、前記開閉部材（36）が前記スロット閉鎖位置にある時、前記開閉部材をこの位置に保持させ、前記ピボット部材（40）と前記ピボット部（50）の一方に中間−末端に延びる溝部（64）を備えるとともに、前記ピボット部材（40）と前記ピボット部（50）の他方に中間−末端に延びる突出部（66）を備えて、前記ピボット部の中又はこの上に設ける前記ラッチ手段の部材（64又は66）を、前記径方向のスロット（62）と近接して配置されるように前記細長い移動可能区間の中又はこの上に設けることを特徴とする歯科矯正用の装置。
【請求項２】
前記ラッチ部材の中間−末端に延びる溝部（64）は前記ピボット部材（40）に備えられ、前記ラッチ部材の中間−末端に延びる突出部（66）は前記ピボット部（50）に備えられることを特徴とする請求項１に記載の歯科矯正用の装置。
【請求項３】
前記ピボット部の壁部の前記細長い移動可能区間は、前記ピボット部の壁部の全周の約２００°から２７０°にわたって構成されることを特徴とする請求項１又は２に記載の歯科矯正用の装置。
【請求項４】
前記ピボット部（50）の壁部の前記径方向のスロット（62）は、器具取付け用の開口部（72）を備え、この中を通って利用者によって器具（73）が装着できるようにして、前記細長い移動可能区間を撓ませることで、前記突出部（66）と前記溝部（64）の係合を外して、前記開閉部材（36）を前記スロット閉鎖位置から移動できるようにしたことを特徴とする請求項１〜３のいずれかに記載の歯科矯正用の装置。
【請求項５】
前記ピボット部材（40）は、単一のピボットピンを有し、このピンの中に前記器具取付け用の開口部（72）を備えて、この開口部内へ前記器具（73）の装着を適切に行えるようにしたことを特徴とする請求項４に記載の歯科矯正用の装置。
【請求項６】
前記ピボット部材（40）は２つの分離した同軸上のピンを備えて、これらの対向する端部を離して、これらの間に前記器具（73）を装着できるようにしたことを特徴とする請求項４に記載の歯科矯正用の装置。
【請求項７】
前記ピボット部の壁部の前記細長い移動可能区間は、対応する前記ラッチ手段の部材（64又は66）の位置の近くに、径方向外側に延びて、前記装置本体の表面（22）と係合することができて、前記開閉部材（36）が所望のスロット開口位置を越えて移動することを制限させる部位（68）を有することを特徴とする請求項１〜６のいずれかに記載の歯科矯正用の装置。
【請求項８】
前記装置本体内に姿勢制御用のばね部材（74、76）を備え、前記装置本体に対する移動を防ぐように固定される固定端部（74）と、前記アーチワイヤー受取り用のスロット（26）内で延びて、前記スロット内のアーチワイヤー（34）と中間−末端に延びる平面内で係合する自由端部（76）とを有し、この係合によって前記アーチワイヤー（34）を前記スロット閉鎖位置（52）に向けて強制することを特徴とする請求項１〜７のいずれかに記載の歯科矯正用の装置。
【請求項９】
前記姿勢制御用のばね部材（74、76）は、薄い板金であって、横方向に延びる側部のアーム（78）を少なくとも１つ有し、前記アーチワイヤー用スロット（26）を含む前記装置本体の一部と、前記装置本体に対し固定されるベース部材（22）との間で、１つ又は２つの前記側部のアーム（78）を挟持させることで、前記装置本体内で保持されるようにしたことを特徴とする請求項８に記載の歯科矯正用の装置。
【請求項１０】
前記開閉部材（36）は、前記スロット閉鎖部（52）と一体の延長部より構成されて、前記スロット閉鎖部よりも弾力的で、前記ピボット部（50）からさらに離れる姿勢制御用のばね部材（104、106）を含み、前記スロット閉鎖位置では前記開閉部材（36）は前記アーチワイヤー取付け用スロット（26）内に前記ばね部材（104、106）の自由端部（106）を延ばして、前記スロット内のアーチワイヤー（34）と中間−末端に延びる平面内で係合させて、この係合によって前記アーチワイヤーを対応する前記スロットの壁部（28、29、30又は32）と係合するように強制させることを特徴とする請求項１〜９のいずれかに記載の歯科矯正用の装置。
【請求項１１】
前記開閉部材（36）が前記スロット閉鎖位置の時、前記ばね部材（104、106）は、前記装置本体の表面（108）と確実に係合して、前記ばね部材に前もって力を加えて、前記自由端部（106）を前記アーチワイヤー用スロット（26）内のアーチワイヤー（34）と係合させるように強制させることを特徴とする請求項１０に記載の歯科矯正用の装置。
【請求項１２】
前記ばね部材（104、106）は、かみ合わせ、歯茎、唇、舌の平面上で反曲した断面を有して、２つのアームを有し、このうちの第一のものは前記スロット閉鎖部と一体であり、第二のものは、前記第一のアームと一体であることを特徴とする請求項１０又は１１に記載の歯科矯正用の装置。
【請求項１３】
前記ばね部材（104、106）は、前記スロット閉鎖位置では、かみ合わせ、歯茎、唇、舌の平面と平行に前記装置本体の側方の壁部（110）によって係合されて、これに対して加えられる中間又は末端に向うストレスから保護するようにしたことを特徴とする請求項１０〜１２のいずれかに記載の歯科矯正用の装置。
【請求項１４】
唇−舌の寸法が歯茎からかみ合わせに向って徐々に減少することを特徴とする、門歯又は犬歯の舌側の表面に対して用いられる歯科矯正用の装置であって、
前記スロット閉鎖位置では、前記開閉部材（36）の前記かみ合わせ側の表面部（16）が前記装置本体のかみ合わせ側の表面部と同じ高さになるようにして、妨げられないように、組合わされたかみ合わせ面を提供し、
前記装置本体の前記歯茎−かみ合わせの寸法は舌から唇に向って徐々に減少し、この減少が前記門歯又は犬歯の前記かみ合わせから歯茎に向う平均的な増大に対応するようにして、前記ブラケットを前記門歯又は犬歯の舌側の表面に対して取付ける時、前記妨げられないように組合わされたかみ合わせ面が、唇−舌に延びるかみ合い平面を提供して、対向する門歯又は犬歯の歯の縁部が、対向する被蓋咬合に対してかみ合うように作用する際、係合できるようにしたことを特徴とする請求項１〜１３のいずれかに記載の歯科矯正用の装置。
【請求項１５】
前記開閉部材（36）は、前記スロット開口位置では、前記開閉部材の表面（54）と、これと対向する前記アーチワイヤー用スロット表面（30）によって、内側にテーパ付けられた開口部を提供して、前記アーチワイヤー（34）の捕獲とこれの前記スロット内への案内を容易にしたことを特徴とする請求項１〜１４のいずれかに記載の歯科矯正用の装置。
【請求項１６】
歯科矯正用のアーチワイヤーとともに用いる歯科矯正用の装置であって、装置本体、ピボット部材（40）、開閉部材（36）を有し、
前記装置本体は、唇（10）、舌（12）、歯茎（14）、かみ合わせ（16）、中間（18）及び末端（20）側の表面部を有し、前記本体はこの内部に、前記装置本体の表面部（10、12、14、又は16）に対し開口するように中間−末端に延びる側部を１つ備えるように、中間−末端に延びるアーチワイヤー受取り用のスロット（26）を有して、このスロット（26）内に前記アーチワイヤー（34）の装着と、ここからの取外しを行えるようにし、
前記ピボット部材（40）は、前記装置本体によって取付けられて、中間−末端に延びるピボット軸（42）を構成し、
前記開閉部材（36）は、前記ピボット軸（42）に関してピボット移動するように前記ピボット部材（40）によって取付けられて、この移動は、開口したスロットの側部を開口させるスロット開口位置と、前記開閉部材（36）により前記開口したスロットの側部を閉鎖させて、前記スロット内に前記アーチワイヤー（34）を保持させるスロット閉鎖位置との間で行われ、
前記開閉部材（36）はさらに、
前記開閉部材（36）のピボット移動を行うための前記ピボット部材（40）によって取付けられるピボット部（50）と、
前記ピボット部（50）とともに移動可能であって、前記装置本体に対して中間−末端に延び、前記スロット閉鎖位置では前記スロット（26）の開口した側部を閉鎖させるスロット閉鎖部（52）とを有し、
前記スロット閉鎖部（52）と一体の延長部より構成されて、前記スロット閉鎖部よりも弾力的で、前記ピボット部からさらに離れる姿勢制御用のばね部材（104、106）を含み、前記開閉部材が前記スロット閉鎖位置にあるとき、前記ばね部材（104、106）の自由端部（106）を前記アーチワイヤー受取り用のスロット（26）内に延ばして、前記スロット内の前記アーチワイヤー（34）と中間−末端に延びる平面内で係合させ、この係合によって前記アーチワイヤーを前記対応するスロットの壁部（28、29、30又は32）と係合させるように強制することを特徴とする歯科矯正用の装置。
【請求項１７】
前記一体に延びるばね部材（104、106）は、前記スロット閉鎖部から前記自由端部に向けて一層弾力的になることを特徴とする請求項１６に記載の歯科矯正用の装置。
【請求項１８】
前記スロット閉鎖位置では、前記ばね部材（104、106）は、前記装置本体の表面（108）と確実に係合して、前記ばね部材に前もって力を加えて、前記自由端部（106）を前記アーチワイヤー用スロット（26）内のアーチワイヤー（34）と係合させるように強制させることを特徴とする請求項１６又は１７に記載の歯科矯正用の装置。
【請求項１９】
前記ばね部材（104、106）は、かみ合わせ、歯茎、唇、舌の平面上で反曲した断面を有し、２つのアームを有し、このうちの第一のもの（104）は前記スロット閉鎖部と一体であり、第二のもの（106）は、前記第一のアームと一体であり、前記アーチワイヤーと係合する自由端部を含むことを特徴とする請求項１６〜１８のいずれかに記載の歯科矯正用の装置。
【請求項２０】
前記スロット閉鎖部の前記ばね部材（104、106）は、かみ合わせ、歯茎、唇、舌の平面と平行に前記装置本体の側方の壁部（110）によって係合されて、これに対して加えられる中間又は末端に向うストレスから保護させるようにしたことを特徴とする請求項１６〜１９のいずれかに記載の歯科矯正用の装置。
【手続補正２】
【補正対象書類名】明細書
【補正対象項目名】０００５
【補正方法】変更
【補正の内容】
【０００５】
ハンソンのスピードシステム（登録商標）に用いられるブラケットは“アクティブ”であり、時折“自身でしばる（self-ligating）”ものとして参照されるが、この場合、夫々常にしばるばね部材を含み、このばね部材は、ブラケット本体を囲み、この上でスロット開口位置とスロット閉鎖位置との間で移動して、ばね部材がアーチワイヤーをスロット内に保持する機能と、また、これをスロット内で最適な位置に強制する機能の２つを行うようにしている。このようなアクティブなブラケットの特別な例として、本出願人による特許文献１及び２に開示されたものがある。
【手続補正３】
【補正対象書類名】明細書
【補正対象項目名】０００６
【補正方法】変更
【補正の内容】
【０００６】
歯科矯正用の装置を開発する他のラインでは、通常、中間−末端に延びるピボットピン上でピボット移動されることで、スロット開口位置とスロット閉鎖位置の間で移動可能となる、固体金属の本体から形成された、実質的に硬い開閉部を用いることがあり、この開閉部は、スロット閉鎖位置では、アーチワイヤーをスロット内に保持させている。開閉部はまた、アーチワイヤーをスロット内に挿入する場合、少なくとも初めは、アーチワイヤーと係合することによって、装置とアーチワイヤーを互いに対して最適又はニュートラルの位置に強制して、この位置ではこれらの間の強制を最小にさせている。少なくとも手術の最初の段階では、アーチワイヤーは、通常、スロットよりも小さな断面を有しているため、このような装置は好適には内部に姿勢制御用のばねを備えて、スロット内に突出させて、ワイヤーと係合させ、所望の制御用の力を提供させている。このような開閉部は、周囲を囲み、しばるばねよりも厚い材料から形成でき、より弾力性が小さいため、材料の弾性限界を超えて過度にストレスを受けることに対してより敏感とならないように形成できるが、同時に、典型的な歯科矯正手術中に、患者の口の中で行われる面倒な状態下でも、装置の本体に対し詰め込まれて係合することで、スロット閉鎖位置で固く保持されるように、十分な弾力性を有することができる。このような実質的に硬いピボット可能な開閉部を用いたブラケットと交換可能なチューブから構成される装置の例として、２００３年１月１４日に発行された本出願人による特許文献３に開示されたものがある。
【手続補正４】
【補正対象書類名】明細書
【補正対象項目名】０００８
【補正方法】変更
【補正の内容】
【０００８】
舌の手術に対する関心は増大しているが、このような手術は実行することがより一層困難となっている。妥協として、舌の技術を上方のアーチに対してのみ用いており、この際、ブラケットとアーチワイヤーは最も視認できるようになり、また、唇の技術を下方のアーチに対して用いて、この際、ブラケットとアーチワイヤーは下方のリップによって最も隠されることになる。舌と、舌／唇の組合わされた手術は、子供よりもより大人の患者にとって特別な関心事であり、この場合、典型的な手術では２から３年の期間を要している。また、大人の患者であって、下方の歯をより多く見せる傾向があり、場合によっては下方の前方の歯を主に見せるひとには、上記妥協は適切ではない。特に舌の位置で小さくて滑らかな装置が必要とされているが、これは、舌による速いアクセスと、口の中の異物を探す舌の自然な傾向のためである。従来、既存の装置のサイズを単に減少させる試みがあったが、これは、一般に成功しているとはいえなかった。これは、少なくとも部分的には、スケールを変化させることは様々な比率でサイズのパラメーターに影響を及ぼすためであり、例えば、表面は２乗の比率で減少する一方、体積は３乗の比率で減少するので、この結果、特に小さなばね部材が必要とされる場合に、必要な特性を有する材料を見つける際には、一層困難になっていた。舌の手術に適する、このような小さくて、滑らかな外観のブラケットの例として、１９８７年１０月６日と１９９７年１１月１１日に発行された本出願人による特許文献４と５に開示されたものがあるが、第一のものは実質的に硬いピボット可能な開閉部を用い、第二のものは２つのアームを備えたピボット可能なばねを用いている。
【手続補正５】
【補正対象書類名】明細書
【補正対象項目名】００１２
【補正方法】変更
【補正の内容】
【００１２】
本発明は、上記課題を解決するための手段として、歯科矯正用のアーチワイヤーとともに用いるように、歯科矯正用の装置を提供するが、この際、装置本体、ピボット部材、開閉部材（シャッター部材）を有し、
装置本体は、唇、舌、歯茎、かみ合わせ、中間及び末端側の表面部を有し、装置本体の表面部に対し開口するように中間−末端に延びる側部を１つ備えるように、中間−末端に延びるアーチワイヤー受取り用のスロットを有して、このスロット内にアーチワイヤーの装着と、ここからの取外しを行えるようにし、
ピボット部材は、装置本体によって取付けられて、中間−末端に延びるピボット軸を構成し、
開閉部材は、ピボット軸に関してピボット移動するようにピボット部材によって取付けられて、この移動は、開口したスロットの側部を開口させるスロット開口位置と、開閉部材により開口したスロットの側部を閉鎖させて、スロット内に歯科矯正用のアーチワイヤーを保持させるスロット閉鎖位置との間で行われ、
開閉部材は、固体の本体から形成され、
開閉部材のピボット移動を行うためのピボット部材によって取付けられるピボット部と、ピボット部とともに移動可能であって、装置本体に対して中間−末端に延び、スロット閉鎖位置ではスロットの開口した側部を閉鎖させるスロット閉鎖部とを含み、
開閉部材のピボット部は、ピボット部材を囲むピボット部を含み、このピボット部は、中間−末端に延びるボアを備え、この中にピボット部材を通し、ピボット部の壁部は、ピボット部材の周りで少なくともほぼ環状の横断面区間を有し、壁部にこの内側から外側に向けて中間−末端に延びる径方向のスロットを備えて、ピボット部材の周りで壁部を非連続にして、細長い移動可能区間を有し、この部位を撓ませることで、ピボット部材に向ったり、離れるように径方向に移動可能にし、
ピボット部材とピボット部との間で、互いに対に係合するラッチ手段の部材を有するラッチ手段を含み、開閉部材がスロット閉鎖位置にある時、開閉部材をこの位置に保持させ、ピボット部材とピボット部の一方に中間−末端に延びる溝部を備えるとともに、ピボット部材とピボット部の他方に中間−末端に延びる突出部を備えて、ピボット部の中又はこの上に設けるラッチ手段の部材を、径方向のスロットと近接して配置されるように細長い移動可能区間の中又はこの上に設けることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
移動可能区間は、ピボット部の壁部の全周の約２００°から２７０°にわたって構成されていてもよい。また、移動可能区間は、対応するラッチ手段の部材の近くで径方向外側に延びて、開閉部材が所望のスロット開口位置を越えて移動することを制限させるように、装置本体の表面と係合できる部位を備えていてもよい。
【手続補正９】
【補正対象書類名】明細書
【補正対象項目名】００２２
【補正方法】変更
【補正の内容】
【００２２】
また、本発明は、歯科矯正用のアーチワイヤーとともに用いるように、歯科矯正用の装置を提供するが、この際、装置本体、ピボット部材、開閉部材を有し、
装置本体は、唇、舌、歯茎、かみ合わせ、中間及び末端側の表面部を有し、装置本体の表面部に対し開口するように中間−末端に延びる側部を１つ備えるように、中間−末端に延びるアーチワイヤー受取り用のスロットを有して、このスロット内にアーチワイヤーの装着と、ここからの取外しを行えるようにし、
ピボット部材は、装置本体によって取付けられて、中間−末端に延びるピボット軸を構成し、
開閉部材は、ピボット軸に関してピボット移動するようにピボット部材によって取付けられて、この移動は、開口したスロットの側部を開口させるスロット開口位置と、開閉部材により開口したスロットの側部を閉鎖させて、スロット内にアーチワイヤーを保持させるスロット閉鎖位置との間で行われ、
開閉部材はさらに、
開閉部材のピボット移動を行うためのピボット部材によって取付けられるピボット部と、
ピボット部とともに移動可能であって、装置本体に対して中間−末端に延び、スロット閉鎖位置ではスロットの開口した側部を閉鎖させるスロット閉鎖部とを有し、
スロット閉鎖部の弾力的な延長部より構成されて、ピボット部からさらに離れる姿勢制御用のばね部材を含み、開閉部材がスロット閉鎖位置にあるとき、ばね部材の自由端部をアーチワイヤー受取り用のスロット内に延ばして、スロット内のアーチワイヤーと中間−末端に延びる平面内で係合させ、この係合によってアーチワイヤーを対応するスロットの壁部と係合させるように強制することを特徴とする。
【手続補正１０】
【補正対象書類名】明細書
【補正対象項目名】００２７
【補正方法】変更
【補正の内容】
【００２７】
スロット内にアーチワイヤーを保持させて、必要な時に解放させる手段は、矢印３６で示されるように、実質的に硬い開閉部材により構成されており、これは、唇及びかみ合わせの表面部１０及び１６に対し開口する中央に配置された溝部３８内でピボット部材によって取付けられる。この実施形態では、ピボット部材は、一対の同軸上に中間−末端に延びるピボットピン４０から構成されており、これらは開閉部材とブラケット本体を貫通して、この結果、図１及び３に示すように、開閉部が開口した舌のスロット側を閉鎖する、スロット閉鎖位置と、図４に示すように、開口した舌のスロット側が妨げられないようにする、スロット開口位置との間で、ピンの共通のピボット軸４２に関して開閉部材を移動可能にする。ピンの対面する端部は互いに離されており、このため、後述する機能を行えるように、これらの間にスペースを提供する。この実施形態では、ピボット部材は、唇側の端部よりも舌側の端部により近接して本体内に配置される。ブラケット本体部材に溝部３８を設けることで、平行に対面する中間及び末端側の壁部を有するように、２つの平行なウイング部材４４を提供するが、２つの壁部の間の中間−末端の寸法は、開閉部材３６がはっきりとしたあそびを生じさせないように、丁度十分なクリアランスを有して、この中でスロット解放位置と閉鎖位置との間で自由に移動できるようにする。ピボットピンは、円形状の断面を有し、ウイング部材の対応する円形状の断面のボア４６内できつく係合するが、一度、これらがボア内で係合すると、回転できないようにきつく保持されて、例えば、図１、５及び７に示すような、スポット溶接４８によって、ブラケット本体に対してこれらの端部をレーザースポット溶接する。開閉部材は、ピボット部５０を含み、これは常に溝部３８内に置かれ、ここを通ってピボットピン４０と、スロット閉鎖部５２が延びるが、後者は、この実施形態では、ピボット部と一体であり、開閉部材は金属の単一のブロックから機械加工される。この実施形態では、スロット閉鎖部の中間−末端の寸法は、ピボット部のものと同じである。開閉部材のスロット閉鎖位置では、スロット閉鎖部の表面５４は、アーチワイヤー用スロット表面３０に対して当たり、完全な閉鎖位置を定めるが、この際、表面５６はアーチワイヤー用スロットの開口した舌側を閉じて、表面５８はスロット表面３２と係合して、並び、この表面を連続させる。
【手続補正１１】
【補正対象書類名】明細書
【補正対象項目名】００２９
【補正方法】変更
【補正の内容】
【００２９】
この実施形態では、ラッチ部材は、２つの中間−末端に延びるＶ又はＵ字状に横切る断面でピボットピン４０の表面内のラッチ溝又は溝部６４から構成されるようにピボット部材内のラッチ手段によって提供されており、これら２つは同延であって、効果的に単一の溝又はラッチを構成する。ピボット部上の他のラッチ部材は、細長い移動可能区間の自由端部で相補的な形状の中間−末端に延びる硬い突出部６６を含み、スロット６２のすぐ近くに配置して、この硬い突出部をボア６０の内壁から径方向内側に延ばす。これらラッチ部材の相対的な位置は、スロット閉鎖位置では、突出部が、この中間−末端に延びる全体にわたって、溝部内できちんと、固定されるように係合して、開閉部材をこの位置で確実に保持させるようにする。この位置から開閉部材を外すように移動することは、移動可能区間を部材の材料の弾力性に対して径方向外側に撓むようにして、開閉部材が他の任意の位置にあるとき、撓まれたままに保つようにする。溝部と突出部のＶ又はＵ字状の断面は、これらの係合と解除でカム作用を提供する。このような作用は、係合時に特に長所となるが、これは、突出部が溝部の下方に傾斜した表面と係合するとすぐに、移動可能区間の弾力性が、開閉部材の確実な移動に対応して、突出部を溝部内で十分に係合させるように確実に移動させるためである。突出部６６のすぐ近くにある移動可能区間の部分６８は、径方向外側に隆起して、ピボット部の内壁部に備えられる溝７０は、壁部の厚さを均一に保ち、突出部用の断面区間がよりしっかりと係合できるように保証する。この溝部は、また、移動可能区間の残りと、突出部が突然に接合することがないように保証する。図４に示すように、スロット閉鎖部をスロット閉鎖位置から離れるように移動させるため、開閉部材が回転すると、隆起部はベース部材２２の近くの壁部と係合して、この結果、さらなる回転を防ぐストップ部材として機能して、開閉部材を好ましいスロット開口位置で保持させるが、この位置では、対向する閉鎖部材の表面５２とスロットの表面３０が内側にテーパ付けられた開口部を提供して、アーチワイヤーを捕獲して、これをスロット２６内に案内することを容易にしている。